(57)【特許請求の範囲】
【請求項１】
ＮＴＳＣ信号干渉を軽減するためのくし型フィルタを有する受信器によって信されたＶＳＢデジタル信号のＶＳＢモード情報を決定する方法であって、受信された前記ＶＳＢデジタル信号は、複数のデータフィールドを有しており、前記ＶＳＢモード情報は、各データフィールドにおいて、所定のバイト数のうちの選択されたバイト数で特定されるところの方法において、
受信された前記ＶＳＢデジタル信号の一方のデータフィールド中のＶＳＢモード情報の前記所定のバイト数のデータ値の何れをも修正することなく、受信された前記デジタル信号の前記一方のデータフィールドを、前記くし型フィルタによってサンプリングする工程であって、前記くし型フィルタが、前記一方のデータフィールドのフィルタリングにおいて有効であるところの工程と、
受信された前記ＶＳＢデジタル信号の他方のデータフィールド中のＶＳＢモード情報の前記所定のバイト数のデータ値の一部を修正した後に、前記受信された前記ＶＳＢデジタル信号の前記他方のデータフィールドをサンプリングする工程であって、前記受信された前記ＶＳＢデジタル信号の前記他方のデータフィールドにおけるＶＳＢモード情報の前記所定のバイト数のデータ値の一部を修正することによって、前記くし型フィルタを、前記他のデータフィールドのフィルタリングにおいて有効にするところの工程
と、を有する方法。
【請求項２】
各データフィールドの前記ＶＳＢモード情報の前記所定のバイト数は３バイトの連続からなり、第３番目のバイトは全てのＶＳＢモードに対して特定され、第１番目及び第２番目のバイトは１つのＶＳＢモードに対して特定されると共に残りのＶＳＢモードに対しては不特定である請求項１に記載の方法。
【請求項３】
前記他方のデータフィールドのＶＳＢモード情報の最初の２つの不特定なバイトのデータ値が零にセットされる、請求項２に記載の方法。
【請求項４】
前記ＶＳＢモード情報の前記所定のバイト数のデータ値の処理は、
前記一方のデータフィールドにおいて、ＶＳＢモード情報の３つのバイトの修正されていないデータ値をくし型フィルタに通過させる工程と、
他方のデータフィールドにおいて、
前記ＶＳＢモード情報の３バイトの修正されたデータ値を、マルチプレクサに通過する工程と、を有する請求項２に記載の方法。
【請求項５】
複数のデータフィールドを有する単一のＶＳＢデジタル信号を受信する受信器であり、ＶＳＢモード情報を有する各データフィールドが、所定のバイト数のうちの選択されたバイト数で特定され、受信された前記ＶＳＢデジタル信号の各デーダフィールドが、ＶＳＢモード情報を供給する前記所定のバイト数を有するところの受信器において、
１２シンボルの遅延器および加算器を有し、
前記ＶＳＢデジタル信号の一部をフィルタリングし、そして、ＮＴＳＣ同一チャンネル干渉を軽減する出力信号を出力するためのくし型フィルタと、
前記くし型フィルタに接続され、前記くし型フィルタの出力信号を受信し、そして、各データフィールドのＶＳＢモードを決定するためのＶＳＢモードを決定する回路と、
前記くし型フィルタおよびＶＳＢモードを決定する前記回路に接続され、受信された前記ＶＳＢデジタル信号の一方のデータフィールド中のＶＳＢモード情報の前記所定のバイト数の修正されていないデータ値を、前記くし型フィルタに通過させるように構成され、そして、受信された前記ＶＳＢデジタル信号の他方のデータフィールド中のＶＳＢモード情報の前記所定のバイト数の修正されたデータ値を、前記くし型フィルタに通過させるように構成され論理ネットワークと、を備える受信器。
【請求項６】
前記ＶＳＢデジタル信号の各デーダフィールド中の前記ＶＳＢモード情報は連続する３バイトからなり、第３番目のバイトは全てのＶＳＢモードに対して特定され、第１番目及び第２番目のバイトは１つのＶＳＢモードに対して特定されると共に残りのＶＳＢモードに対しては特定されない、請求項５に記載の受信器。
【請求項７】
特定された第３番目のバイトの値が常に、修正されずに、前記くし型フィルタおよびＶＳＢモードを決定する前記回路に通過される、請求項６に記載の受信器。
【請求項８】
前記ＶＳＢデジタル信号の前記一方のデータフィールドにおいて、前記３つのバイトの修正されていない値を前記くし型フィルタに通過させる手段と、
前記ＶＳＢデジタル信号の前記他方のフィールドにおいて、前記３つのバイトの修正された値を前記くし型フィルタに通過させる手段と、を有する請求項６に記載の受信器。
【請求項９】
前記くし型フィルタは、前記シンボル遅延器の１端に接続されたインバータを有し、
前記受信器は、前記シンボル遅延器の他端及び前記インバータに接続されたマルチプレクサと、前記デジタル信号の前記フィールドの交互のデータフィールドにおいて、前記シンボル遅延器と前記インバータの双方を選択するように前記マルチプレクサを動作させる手段と、を備える請求項８に記載の受信器。
【発明の詳細な説明】
発明の背景及び従来技術
本発明は、アドバンスト（advanced）テレビジョンシステムに関し、特にＮＴＳＣ同一チャンネル信号を除去するくし型フィルタを有する受信器内のＶＳＢ（残留側波帯）モード検出に関する。デジタルテレビジョン信号規格は、ＶＳＢモードが８３２のシンボルフィールドシンクセグメントの２４シンボル中の３バイトデータにより規定されることを明記している。８ＶＳＢの地上規格信号については、これらの３モードの情報バイトが完全に特定されている。しかし、１６ＶＳＢのような他の伝送モードについては、３バイトのうちの第３番目のバイトのみが特定されており、最初の２つのバイトは予約（reserved）となっている。よって、ほとんどのＶＳＢモードについて、３つのモード情報バイトのうちの２つは未知である。その結果、８ＶＳＢ地上伝送モード以外については、デジタル受信器はＶＳＢモード検出のためのくし型フィルタを使用することができない。くし型フィルタはＮＴＳＣ同一チャンネル干渉の除去を促進するので、ＮＴＳＣ同一チャンネルの存在下では８ＶＳＢ地上信号の受信中にＶＳＢモードを検出するためにくし型フィルタを使用することが非常に望ましい。しかし、くし型フィルタが有効であり、且つ受信信号のＶＳＢモードの変化が突然起きると、受信器のモード検出回路はくし型フィルタの動作が原因で新たな信号のモードを決定することができなくなることがあり、ロックアウトが生じることがある。これは、後述するように、くし型フィルタが最初の２バイト中に存在するデータを減算することにより第３番目のバイトの値を修正するからである。本発明はこの問題を解決し、他のＶＳＢモード信号のモード検出能力を保持しつつ、８ＶＳＢ地上信号の受信についてくし型フィルタを使用することを可能とする。
本発明の態様は、ＡＴＶ（アドバンスト・テレビジョン）受信器の新規なＶＳＢモード検出システムを提供することにある。
本発明の他の態様は、くし型フィルタを使用するＡＴＶ受信器の改善されたモード検出を提供することにある。
従って、本発明は、ＮＴＳＣ信号干渉を軽減するためのくし型フィルタを有する受信器により受信したＶＳＢデジタル信号のモードを決定する方法を提供し、その方法は、くし型フィルタが有効な状態で前記デジタル信号の一方のフィールド中のモード情報をサンプリングする工程と、及び、くし型フィルタが無効な状態で前記デジタル信号の他方のフィールド中のモード情報をサンプリングする工程と、を有する。
また、本発明は、ＶＳＢモード情報を含むデジタルＶＳＢ信号を受信する受信器を提供し、その受信器は、１２シンボルの遅延器を有しＮＴＳＣ同一チャンネル干渉を軽減するためのくし型フィルタと、前記くし型フィルタが有効な状態で前記デジタル信号の一方のフィールドにおいて前記ＶＳＢモード情報をサンプリングする手段と、及び、前記くし型フィルタが無効な状態で前記デジタル信号の他方のフィールドにおいて前記ＶＳＢモード情報をサンプリングする手段と、を備える。
本発明の更なる態様及び有益性は、図面との関連において以下に述べる本発明の好適な実施形態の記述を読むことにより明らかになるであろう。
図１は、本発明の１つの形態を示す部分的ブロック図であり、及び
図２は、本発明の他の形態を示す部分的ブロック図である。
ＡＴＶ規格のくし型フィルタにおいては、データは加算器の正入力に供給されると共に、１２シンボル遅延器を通って加算器の負入力に供給される。こうして、シンボル＃１がシンボル＃１３から減算され、シンボル＃２がシンボル＃１４から減算され、というように演算される。加算器の出力はモード検出器に与えられ、そこでは入力シンボルと、ＶＳＢモード情報を決定するための既知の基準パターンとが比較される。先に述べたように、８ＶＳＢ地上モードについては、３つのモードバイト全てが特定される時、ＮＴＳＣ同一チャンネル信号干渉を除去する利益が得られる。くし型フィルタが使用中であると、異なるＶＳＢモードへ（又は異なる信号タイプ）の信号の変化により、くし型フィルタにより生成されてモード検出器に与えられる信号が予測不能となり、モード検出回路は信号モードを決定することができなくなる。この理由は、そのような信号中では最初の２つのモードが特定されておらず、データがガーブル（garble）されるからである。
本発明は、上記の問題を解決し、８ＶＳＢ地上信号を受信するくし型フィルタを使用する利益を維持すると共に、くし型フィルタが有効である間に他の信号が受信された際にはＡＴＶ受信器がそのような他の信号のモードを検出することを可能とする。本発明の２つの異なる観点が説明され、それらはいずれも、受信信号が８ＶＳＢであることが決定されるまで、最初のうちはくし型フィルタを無効とする。そうなると、くし型フィルタは受信信号の交互のフィールドにおいて正常に動作するようにする。
第１の観点では、３バイトのモード情報の最初の２バイトを、それらがくし型フィルタに供給される前に零とする。この構成を図１に示す。受信器１０（部分的に示される）はＡＮＤゲート１２を含み、それはフィールドレートタイミング信号及び８ＶＳＢモードにおいてハイとなる検出ＶＳＢモード信号を供給される。ＡＮＤ１２の出力はＮＯＲゲート１４の一方の入力に供給され、他方の入力には３バイトのモード情報の第１番目及び第２番目のバイトに対応するアクティブローモードゲート信号が供給される。ＮＯＲ１４の出力はＡＮＤゲート１６の禁止入力に与えられ、その他方の入力には信号データが供給される。ＡＮＤ１６の出力はくし型フィルタ２０の入力に接続され、くし型フィルタ２０は加算器３４及び１２シンボル遅延器３６を含む。くし型フィルタ２０の出力はモード検出器２２に接続され、そのモード検出器２２はモードバイトセレクタ２６、パリティチェック器２８、信頼カウンタ３２、及び検出ＶＳＢモード信号を提供するモード出力回路３０を含む。タイミング回路２４は必要に応じてタイミング信号を供給する。受信信号入力データはマルチプレクサ１８にも供給され、マルチプレクサ１８の他方の入力はくし型フィルタ２０の出力から供給される。選択信号は、受信信号データを受信器の残りの部分（図示せず）に供給するためにマルチプレクサ１８を動作させる。選択信号は、くし型フィルタが必要であるか否か、即ちＮＴＳＣ同一チャンネル干渉が存在するか否かを決定する回路（図示せず）により動作される。ＮＴＳＣ同一チャンネル干渉が存在しないならば、くし型フィルタはホワイトノイズに対して３ｄＢの閾値劣化を生じさせるので、くし型フィルタをバイパスすることが望ましい。
ＡＮＤ１６が禁止されると、その出力のデータ値は零となる。これは、ＮＯＲ１４に与えられるモードゲート信号に起因して、モード情報の第１及び第２のバイトの間に生じる。従って、ＮＯＲ１４の出力がハイである場合、それはＡＮＤ１６への負入力に起因してローに転換され、ＡＮＤ１６の出力を強制的にローにする。モードゲート信号は、第１及び第２のモード情報バイトの間ＮＯＲ１４の１つの入力にローを供給する。ＡＮＤ１２は、ＶＳＢモード信号がハイの間以外は禁止され、それは、受信８ＶＳＢ信号により信頼が達成された時に生じる。そのような信頼が達成されると、ＡＮＤ１２がイネーブルされ、ハイとローを交互に繰り返すフィールドレートタイミング信号がＮＯＲ１４の入力に与えられ、それにより、ＡＮＤ１６は交互のフィールドにおいてモードデータの最初の２バイトをくし型フィルタへ通過させる。こうして、８ＶＳＢ地上信号に対してくし型フィルタの動作の利益が維持される。
データフィールドのシンクシンボルの振幅が＋１及び−１であるならば、くし型フィルタ２０はその出力に＋２、０又は−２の値を生成する。第３番目のモードバイトの間、くし型フィルタの出力は、最初の２バイトが禁止されていないならば８ＶＳＢモードに対して＋２又は−２（０ではない）であり、最初の２バイトが禁止されているならば、他の全ての状況に対して＋１又は−１（０ではない）である。ほとんどの場合において、＋１又は−１の出力は他の回路に対して悪影響を有しない。この手法は、ひどいＮＴＳＣ同一チャンネル干渉下で８ＶＳＢ地上モードの初期の捕捉を助けるものではないが、ロックの損失に抵抗する。禁止機能を交互のセグメントで保持することは、あらゆる理由で誤って又は信号モードの変更が生じたことにより８ＶＳＢモードが選択された場合に、ロックアウト状態が生じることを防止する。８ＶＳＢ地上モードが有効であり、且つ最初の２つのモードバイトがくし型フィルタを通過することを許容された場合、くし型フィルタの動作が原因で他のモードは検出不能であり、信頼カウンタ３２はカウントダウンせず、それはロック状態を生じさせる。交互のフィールドで常に最初の２つのモードバイトを禁止することにより、受信器が８ＶＳＢモード中である時でさえ他のモードが検出可能であり、それによりロックアウトを防止する。
図２においては、遅延データ、即ちシンボル遅延器３６を通過したデータは、モード情報の第３目のバイトの間そのデータの補数に置き換えられる。それゆえ、加算器３４で減算が生じ、＋２又は−２を生じる。これは、くし型フィルタが正常に動作し、以前のバージョンの＋１、−１の出力を達成する時と同じである。ここで再度、８ＶＳＢ地上モードが信頼を有して検出された時、ＶＳＢモード信号はハイになり、ＡＮＤ１２をイネーブルし、そのＡＮＤ１２は、マルチプレクサ３９を動作させるためのＮＯＲ１４の入力へ交番するフィールドタイミング信号を供給し、加算器３４への適用についてシンボル遅延器３６を通る信号又はインバータ３７を通る信号を選択する。こうして、８ＶＳＢ地上モードが有効な時及び他の状況において、回路は交番する半サイクルでくし型フィルタの完全な作用を伴って上述したように動作し、それは他のモードの検出不能に起因するロックアウト状態を排除する。
本発明により、ＮＴＳＣ同一チャンネル干渉の除去の利益を保持し、他の信号モードを自動的に検出する能力をＡＴＶ受信器に与える。
本発明の真の精神及び視野から外れることなく、本発明の記述された実施形態の多くの変更が当業者に自明であることが理解される。本発明は、請求の範囲の規定によってのみ限定される。
【図１】
0003935212.tif 000002
【図２】
0003935212.tif 000003